(57)【要約】      （修正有）【課題】溢液型濾過装置に配置する切粉沈殿機能を発揮し、且つ強靱なフィルターを備えた回転濾過ドラム提供する。【解決手段】対向して設ける両側板の回転軸の少なくとも一方或は両方を環状開口回転軸として形成し、対向する両側板間に骨杆を架け渡して構成したドラム枠体に、フィルターと補強材を重ね合わせて成る補強フィルターと、多数の区画柵壁を形成した区画枠体を重ねて固定して配置する溢液型濾過装置に配置する回転濾過ドラムを構成した。【選択図】図１
0003143095.tif 000002
【実用新案登録請求の範囲】
【請求項１】
対向して設ける両側板の回転軸の少なくとも一方或は両方を環状開口回転軸として形成し、対向する両側板間に骨杆を架け渡して構成したドラム枠体に、フィルターと補強材を重ね合わせて成る補強フィルターと、多数の区画柵壁を形成した区画枠体を重ねて固定して配置して成ることを特徴とする溢液型濾過装置に配置する回転濾過ドラム。
【考案の詳細な説明】
【技術分野】
【０００１】
本件考案は溢液型の濾過装置に用いる回転濾過ドラムの改良に関するものである。
【背景技術】
【０００２】
溢液型の濾過装置の濾過槽は、金属加工を行う機械を操するときに使用して排出された切粉を含んだ切削液を投入して切粉と切削液を分離する槽である。この濾過装置は図１，図２に示す構成となっている。即ち、濾過槽１は、切粉を含んだ切削液を投入する投入口２を形成し、且つ、一方側を傾斜板３とし、その先端を切粉放擲部４として形成されている。該濾過槽１には、投入口２から投入された切削液中に含む切粉５を該濾過槽１の底板に沈殿させる。この濾過装置は、該濾過槽２の底板に沈殿した切粉５の取除きは、駆動源であるモータＡにより回転する主動スプロケットＢからの動力伝達をうけて受動スプロケットＣ間をガイドスプロケットＤにガイドされて濾過槽１内に駆動回動する掻取板６を適宜間隔で配したチエンコンベア７等の回動搬送機構で掻き集めながら前記切粉放擲部４まで搬送して放擲する。切粉５を沈殿させてた切削液を、濾過槽２内に動力伝達をうけて回転する回転濾過ドラム８のフィルターを通過させて、濾過した切削液とし、これを回転濾過ドラム８の側板９の一方或は両方に配した環状開口回転軸１０と濾過槽１の側板１１の一方或は両方に配した環状開口軸受１２とから構成される排出口１３から濾過済切削液として排出すると言う構成になっている。
尚、回転濾過ドラム８の内側には回転濾過ドラム８のフィルターに対する逆洗ノズルＥが配されている。
【０００３】
濾過槽１に投入される切粉５を含む切削液中には、棒状、湾曲状のものは勿論針状のもの等いろいろな形状の切粉５が含まれている。スパイラル状の形をしたものもあればこれがからみ合って大きな塊となったもの等がある。
濾過槽１に投入された切粉５を含む切削液中の切粉５が全て濾過槽１の底板に沈殿すると言うものではなく、沈殿しきれないものもたくさんある。この状態下で継続投入される切削液中の切粉５とからみ合って更に大きな切粉の塊となることがある。これらのものは、沈殿させなければならない。これらのものを沈殿しきれない状態下で回転濾過ドラム８を回転させると、回転濾過ドラム８のフィルターを破損する事態が生じることは当然である。これまでは、これらの不都合を解消するための有効な手段を講じた回転濾過ドラムはなかった。
【考案の開示】
【考案が解決しようとする課題】
【０００４】
本考案は前記実情に鑑み、濾過槽に投入された切粉を含んだ切削液中の切粉を効率よく濾過槽の底板に沈殿させる働をし、且つ、濾過槽に投入されて切粉を分離した切削液を効率よくフィルターに通過させ、しかも、投入された切削液に含まれる切粉によってフィルターが破損されないような回転濾過ドラムを提供しようとするものである。
【課題を解決するための手段】
【０００５】
対向して設ける両側板の回転軸の少なくとも一方或は両方を環状開口回転軸として形成し、対向する両側板間に骨杆を架け渡して構成したドラム枠体に、フィルターと補強材を重ね合わせて成る補強フィルターと、多数の区画柵壁を形成した区画枠体を重ねて固定して配置する溢液型濾過装置に配置する回転濾過ドラムを構成した。
【考案の効果】
【０００６】
本考案による溢液型濾過装置に配置する回転濾過ドラムは上記のように構成させるので、回転濾過ドラムに張設するフィルターは強化され、これまでのように濾過槽に投入された切削液中に含む切粉によって破れたりすることを防止できるとともに、多数の柵を連接して寄せ集めた枠体が濾過槽に投入された切削液中に含まれる沈殿しきれない切粉を強制的に濾過槽に沈殿させることによって、濾過槽の底板に沈殿した切粉を効率よく掻き集めて放擲部まで搬送して放擲できるようにすることができる。
【実施例】
【０００７】
本考案の一実施例を図面を示して説明する。本考案は、図１，図２に図示した前記した溢液型濾過装置の濾過槽に配する回転濾過ドラムに関するものである。
【０００８】
駆動源から動力伝達をうけて濾過槽１中で回転自在に軸支される回転濾過ドラム８を濾過槽１に軸支する手段は、従来例どうりである。即ち、回転濾過ドラム８の両側板１１に設ける回転軸の少なくとも一方の側板９或は両方の側板９には環状開口回転軸１０を設け、濾過槽１の両側板１１に設ける回転軸受の少なくとも一方或は両方には、前記回転濾過ドラム８の側板９に設けた環状開口回転軸１０を軸支する環状開口軸受１２として設ける。
【０００９】
回転濾過ドラム８は、図３に示すように回転濾過ドラム８の側板９の外周に、駆動源からの動力伝達をうけて回動する掻取り板６を適宜間隔をあけて配置して取付けたチエンコンベア７のチエンと噛み合うスプロケット１４を設け、該チエンコンベア７の回動力を伝達されて回動するように構成しても、図示しないがチエンコンベアの回動とは別に、回転濾過ドラム自体が別個の駆動源から駆動力を受けるように構成してもよいことは勿論である。
【００１０】
回転濾過ドラム８は、回転軸を設けた両側板９間に、骨杆１５を架け渡してドラム枠体１６とする。このドラム枠体１６の対向側板がよじれたりしないよう対向する両側板をしっかりと骨杆１５で固定して構成することは勿論である。
【００１１】
これまでは、この構成のドラム枠体１５にフィルターを張設して回転濾過ドラム８を造っていた。
【００１２】
本考案は、解決課題を解決するための回転濾過ドラム８を構成するため、その構成を、フィルターを直に前記ドラム枠体１６に張設するのではなく、図４に示す補強材１７と図５に示すフィルター１８を重ね合わせた補強フィルターをドラム枠体１６の外周に取付け、更に図１６に示す多数の区画壁を形成した区画枠体１９を補強されたフィルターの上側に取付けてドラム枠体１６に固定すると言うものである。
【００１３】
補強されたフィルターは、図５に示すフィルター１８に図４に示す補強材１７を重ね合わせて作るものであるが、その補強材１７はフィルター１８の破損を阻止する強靱なものでなければならない。更に、濾過槽１に投入された切粉を含んだ切削油がフィルターを通過するのに支障があるような透油性を阻害するものであってはならない。従って、例えば濾過槽１内に投入された切削油中に含まれた切粉５と接触したとき破損しやすいものであってはならない。それだけでなくフィルター１８に重ね合わせたときに透液性が著しく低下するようなものであってはならない。本考案者は、この補強材１７に多数の透液穴を穿設した合成樹脂成形品を考えたが、前記条件を満たしてフィルター１８を補強するものであれば、上記したものには限らないことは勿論である。
【００１４】
補強材１７とフィルター１８の重ね合わせは、補強材１７をフィルター１８の表側に重ね合わせても、或は、フィルター１８の裏側に補強材１７を重ね合わせた二層構造としても、又、フィルター１８の両側に補強材１７を重ね合わせた三層構造としてもよいことは勿論である。
【００１５】
回転濾過ドラム８のドラム枠体１６の外周に取付けた補強されたフィルターの更にその外周には多数の区画壁で区画された区画枠体１９を取付ける。その多数の区画壁で区画された区画枠体１９は、多数の柵を連接した構成としてあり、その周囲には鍔を張り出して設けて構成することもある。その多数の区画壁は各区画壁がそれぞれハニカム状或は枡目状に区画する柵として形成されたものであっても差支えないが、多数の区画壁のそれぞれの柵を構成する桟は、濾過槽１に投入された切削液中に含まれる切粉の中、濾過槽１の底板に沈みきれないでいる切粉に、この区画壁の柵の桟が押し当り、回転濾過ドラム８の回動力によって柵の桟に押し当った切粉を強制的に濾過槽の底板に押し沈める働をさせるためのものである。
【００１６】
このフィルター１８に重ね合わせる補強材１７並に多数の区画壁で区画された区画枠１９は、それぞれ、その面を湾曲状態に形成する。その湾曲度合は、回転濾過ドラム８のドラム枠体１６の側板を直径方向に等分した周縁の湾曲度合と同型とし、補強材１７、前記区画枠体１９の上下両辺の長さを回転濾過ドラム８の巾と同じ長さとする。
【００１７】
ドラム枠体１６に、補強材１７、フィルター１８、区画枠体１９を取付ける一例を図７に示す。
前記ドラム枠体１６にフィルター１８を重ね合わせた補強材１７、区画枠体１９を取付けるのには、前記ドラム枠体１６の両側板９の円周内側に取付けた環状リブ、並にドラム枠体１６の両側板９間に架け渡した骨杆に設けたボルト締孔１６Ａと、フィルター１８を重ねた補強板１７を囲繞する鍔１７Ａに設けたボルト締穴１７Ｂと、区画枠体１９を囲繞する鍔１９Ａ、並に鍔に設けたボルト締穴１９Ｂを合致させ、更にボルト２０を以て締め付けて固定する。
【００１８】
フィルター１８に補強材７を重ね合わせた補強フィルターと、前記区画枠体１９をドラム枠体１６に取付けるその取付け方は、特に限定しないが、その一例を示すと、ドラム枠体１６は両側板９の円周内側に前記区画枠体を取付ける環状リブを取付ける。この取付環状リブの周面には、ボルト締付穴を設ける。また、ドラム枠体の両側板間に架け渡した骨杆にもボルト締付穴設ける。フィルターと補強材を重ね合わせた補強フィルターは、周辺にボルト締付穴を設ける。前記区画枠体の左右両側辺には、ドラム枠体の両側板の円周内側に取付けた環状リブに重ね合わせる鍔を設け、前記区画枠体の横辺両側にはドラム枠体の側板間に架け渡した骨杆に重ね合わせる鍔を設ける。前記左右両側辺に設けた鍔、横辺両側に設けた鍔にはそれぞれボルト締付穴を設ける。
そして、これら各ボルト締付穴を合致してボルトを以て締付けて固定する。
【図面の簡単な説明】
【００１９】
【図１】溢液型濾過装置の断面図
【図２】図１に示した溢液型濾過装置のＡ−Ａ線断面図
【図３】ドラム枠体の斜視図
【図４】補強材の斜視図
【図５】フィルターの斜視図
【図６】区画枠体の斜視図
【図７】ドラム枠体に、補強材、フィルター、区画枠体を重ね合わせて装着した状態を示す一部切欠説明図
【符号の説明】
【００２０】
１．濾過槽
２．投入口
３．傾斜板
４．放擲部
５．切粉
６．掻取板
７．チエンコンベア
８．回転濾過ドラム
９．側板
１０．環状開口回転軸
１１．側板
１２．環状開口軸受
１３．排出口
１４．スプロケット
１５．骨杆
１６．ドラム枠体
１６Ａ．ボルト締孔
１７．補強材
１７Ａ．鍔
１７Ｂ．ボルト縦穴
１８．補強フィルター
１９．区画枠体
【図１】
0003143095.tif 000003
【図２】
0003143095.tif 000004
【図３】
0003143095.tif 000005
【図４】
0003143095.tif 000006
【図５】
0003143095.tif 000007
【図６】
0003143095.tif 000008
【図７】
0003143095.tif 000009